(57)【要約】【課題】  簡単な構成によってコストを低く抑えると共に、使い勝手の改善を図る。【解決手段】  筒状の容器本体１と、容器本体１の上側開口部を開閉可能である蓋体２と、容器本体１内に設けてあるカップ状の金網からなるもぐさ入れ容器３とからなり、容器本体内にはもぐさ入れ容器３を保持するための棚部４を設け、蓋体２には調整孔２ａと、排気孔６ａを有する開閉板６とを備え、調整孔２ａは容器本体１内と連通されており、かつ排気孔６ａと連通可能であり、開閉板６は蓋体２上に回転軸５を回転中心として回転可能であって調整孔２ａを開閉可能である。【選択図】        図１
2007068867.tif 000002
【特許請求の範囲】
【請求項１】
筒状の容器本体と、この容器本体の上側開口部を開閉可能である蓋体と、上記容器本体内に設けてあるもぐさ入れ容器とを具備しており、
上記容器本体は側壁に通気孔を形成し、上記もぐさ入れ容器を保持するための保持部を設けてあり、
上記蓋体は、厚み方向に貫通されている調整孔と、排気孔を有する開閉板とを備えており、
上記もぐさ入れ容器は、上側が開口されている通気性を有するものであり、
上記調整孔は、上記容器本体内と連通されており、かつ上記排気孔と連通可能であり、
上記開閉板は上記調整孔を開閉可能である
ことを特徴とする温灸器。
【請求項２】
開閉板は回転軸を中心として蓋体に取り付けられていることを特徴とする請求項１記載の温灸器。
【請求項３】
もぐさ入れ容器は、金網からなるカップ状のものであって、容器本体から取り外し可能であることを特徴とする請求項１又は請求項２記載の温灸器。
【請求項４】
もぐさ入れ容器は、保持部上をスライド可能に設けられていることを特徴とする請求項１乃至請求項３のいずれかに記載の温灸器。
【請求項５】
もぐさ入れ容器は、複数が保持部に保持されており、上記もぐさ入れ容器の数に対応して調整孔及び開閉板を設けてあることを特徴とする請求項１乃至請求項４のいずれかに記載の温灸器。
【請求項６】
容器本体の底部の形状は、温灸箇所の外観形状に対応していることを特徴とする請求項１乃至請求項５のいずれかに記載の温灸器。
【請求項７】
容器本体の底部は、温灸箇所に密着可能の円弧面を有していることを特徴とする請求項１乃至請求項６のいずれかに記載の温灸器。
【請求項８】
容器本体の底部側に固定バンドを取り付けてあることを特徴とする請求項１乃至請求項７のいずれかに記載の温灸器。
【請求項９】
蓋体は、容器本体の上側開口部を密閉していることを特徴とする請求項１乃至請求項８のいずれかに記載の温灸器。
【発明の詳細な説明】
【技術分野】
【０００１】
この発明は、患者の腰部、背中部、腹部、足裏部、脚部などの温灸箇所を温灸する温灸器に関するものである。
【背景技術】
【０００２】
従来、例えば特開２００３−３３４２３３号公報に記載の「温灸器」、特開２００４−１５４５５０号公報に記載の「無煙温灸器」及び実公平６−２７１５３号公報に記載の「温灸器」（以下「従来例１」、「従来例２」及び「従来例３」という。）がそれぞれ提案されている。
従来例１は、パイプ状の木筒内に金網を敷いてあって、木筒本体の底辺と金網との中間の高さに空気孔を３箇所設けているものである。その使用法は、上記金網の上に灸頭鍼用のもぐさを乗せて、このもぐさに点火すると、上記空気孔から空気が吸い上げられて、煙突の原理で空気が下から上へ行き、上記もぐさが上から下へ徐々に燃焼し、間接的熱感を安全に長時間与え続けるものである。
従来例２は、底部が開口している断熱性を有する容器本体内に、底部から所定の高さに設けてある金網などの支持部を設け、この支持部に石やセラミックからなる蓄熱材を支持するものである。その使用法は、ガスコンロで熱した蓄熱材を支持部に載せて容器本体に蓋をしてから人体の患部に乗せる。
従来例３は、外筒内には中段に金網を張ってある内筒をセットしあり、この内筒が外筒内に延びている棒状の腕で支持されている受網の凹部で保持され、上記外筒の上面に被せる蓋体の中央に排気筒を貫通しているものである。その使用法は、内筒の下層側に温灸用もぐさを軽く詰め込んで点火してから内筒を反転させて（点火した側を下にして）、受網の凹部に挿入し、この内筒の上面に押え網を載置し、受網の外周部を腕にかけて外筒内にセットし、最後に蓋体を外筒上面に被せ固定してから外筒を腹部上に載せる。
【特許文献１】特開２００３−３３４２３３号公報
【特許文献２】特開２００４−１５４５５０号公報
【特許文献３】実公平６−２７１５３号公報
【発明の開示】
【発明が解決しようとする課題】
【０００３】
従来例１によると、使用中に木筒本体の上側の開口部から燃焼するもぐさから相当な量の煙が排出され、治療室の環境を悪くしている。もぐさが金網上に載せる構成であるために、木筒本体を置く患者の腰など温灸箇所に凹凸があったりして水平ではないので、木筒本体が斜めに置かれることがあり、このような場合にはもぐさの位置が移動し、設置位置が安定せず、その位置を手で元に戻す手間を要する課題がある。
従来例２によると、蓄熱材を用いるので多量の排気の問題は解消されるものの、安価で扱いが容易な温灸用のもぐさを使用することができない課題がある。
従来例３によると、従来例１及び従来例２の課題は解決することができるものの、内筒、受網及び排気筒を用いる構成は複雑となりその分コスト高になることを予測することができ、また外筒内の温度調整や必要に応じて使用時間の調整が簡単に行えないので使い勝手に改善の余地がある。
この発明の目的は、簡単な構成によってコストを低く抑えると共に、使い勝手の改善を図ることにある。
【課題を解決するための手段】
【０００４】
この発明の第１の特徴は、筒状の容器本体と、この容器本体の上側開口部を開閉可能である蓋体と、上記容器本体内に設けてあるもぐさ入れ容器とを具備しているところにある。上記容器本体は側壁に通気孔を形成し、上記もぐさ入れ容器を保持するための保持部を設けてあり、上記蓋体は、厚み方向に貫通されている調整孔と、排気孔を有する開閉板とを備えており、上記もぐさ入れ容器は、上側が開口されている通気性を有するものであり、上記調整孔は、上記容器本体内と連通されており、かつ上記排気孔と連通可能であり、上記開閉板は上記調整孔を開閉可能である。
この発明の第２の特徴は、上記第１の特徴を前提として、開閉板は回転軸を中心として蓋体に取り付けられていることにある。
この発明の第３の特徴は、上記第１又は第２の特徴を前提として、もぐさ入れ容器が、金網からなるカップ状のものであって、容器本体から取り外し可能であることにある。
この発明の第４の特徴は、上記第１乃至第３のいずれかの特徴を前提として、もぐさ入れ容器が、保持部上をスライド可能に設けられていることにある。
この発明の第５の特徴は、上記第１乃至第４のいずれかの特徴を前提として、もぐさ入れ容器が、複数が保持部に保持されており、上記もぐさ入れ容器の数に対応して調整孔及び開閉板を設けてあることにある。
この発明の第６の特徴は、上記第１乃至第５のいずれかの特徴を前提として、容器本体の底部の形状が、温灸箇所の外観形状に対応していることにある。
この発明の第７の特徴は、上記第１乃至第６のいずれかの特徴を前提として、容器本体の底部が、温灸箇所に密着可能の円弧面を有していることにある。
この発明の第８の特徴は、上記第１乃至第７のいずれかの特徴を前提として、容器本体の底部側に固定バンドを取り付けてあることにある。
この発明の第９の特徴は、上記第１乃至第８のいずれかの特徴を前提として、蓋体がその外周部全周に被覆部を設けてあり、容器本体の上側開口部を密閉可能に被覆することができるものであることにある。
【発明の効果】
【０００５】
この発明によれば、蓋体に調整孔を設けると共に、この調整孔を開閉可能とする開閉板を設けてあるので、温度調整が簡単にでき、簡単な構成によってコストを低く抑えると共に、使い勝手の改善を図ることができる。
【発明を実施するための最良の形態】
【０００６】
この発明の第１の実施の形態として、図１〜図８に示す温灸器Ｍ１を説明する。
図１〜図４に示す温灸器Ｍ１は、筒状の容器本体１と、この容器本体の上側開口部を開閉可能である蓋体２と、上記容器本体内に取り外し可能に設けてあるもぐさ入れ容器３とを具備している。
【０００７】
容器本体１は図３〜図５に示すように長い側壁１ａと短い側壁１ｂとを組み合わせた平面長方形状の角筒状である。容器本体１の内面には図示していないがアルミ箔などの耐熱シートを貼ってある。容器本体１の内部の上側には、もぐさ入れ容器３を支持するための支持部である棚部４を互いに対向して設けてある。各棚部４は対向する側壁１ａの上部に固定されており、両端部が側壁１ｂに達しており、互いに平行に配置されている。容器本体１の中間位置には、通気孔１ａ１，１ｂ１を設けてあり、図４及び図５に示す例によれば、通気孔１ａ１は各側壁１ａに２つ、通気孔１ｂ１は各側壁１ｂに１つ配置されている。
図１に示す容器本体１の底部１ｃは、患者の温灸箇所Ｈ１の外観の形状に対応した形状、図示する例では両側壁１ａの下面を円弧面である凹面１ｃ１に形成している。容器本体１の底部１ｃを凹面１ｃ１に形成することによって、容器本体１の底部が患者の温灸箇所Ｈ１に隙間なく接触して設置位置が安定し、内部の熱が外へ洩れることを抑制することができる。
【０００８】
図１及び図２において、蓋体２は、容器本体１内に面している部分には図示していないがアルミ箔などの耐熱シートを貼ってある。蓋体２は、厚み方向（図１上下方向）に貫通されている対の調整孔２ａと、回転軸５を中心として回転可能に取り付けられていると共に排気孔６ａを有する対の開閉板６とを備えている。
調整孔２ａは、蓋体２に図５左右方向に間隔を置いて配置されている丸孔である（図２）。調整孔２ａの内周面には図示していないが耐熱シートを貼ってある。両開閉板６は、図２〜図５に示すように平面四角形に形成されており、一つの角部に配置されている回転軸５を回転中心として水平方向に回転可能である。各回転軸５は蓋体２上に起立されている。各開閉板６は回転動作を通じて調整孔２ａを開閉することができる。各開閉板６の中心部に排気孔６ａを開けてある。各排気孔６ａは図１及び図４に示すように調整孔２ａと連通可能である。
蓋体２の裏面には、図６〜図８に示すように、対角線上に位置している角部近傍に位置保持用のピン８を突出してある。ピン８は容器本体１上に蓋体２を被せた状態で図３鎖線に示すように側壁１ｂと棚部４の交差部分に位置して、かつ側壁及び棚部の内面に所定圧力で接して、閉じた蓋体２が簡単に位置ずれしたり開いたりしない役割をしている。
【０００９】
もぐさ入れ容器３は、図１、図４及び図７に示すように金網などのような通気性と耐熱性を備えている網部材によって上側が開口されているカップ状に形成されている。もぐさ入れ容器３は、その内部に温灸用のもぐさ７を収納するものである。もぐさ入れ容器３の上端開口縁部外周にフランジ３ａを設けてある。フランジ３ａは容器本体１の棚部４に掛け止めることができるので、もぐさ入れ容器３は、このフランジ及び棚部を介して容器本体内に中吊り状態に取り付けられる。各もぐさ入れ容器３はフランジ３ａを通じて棚部４上をスライド可能であり、任意の位置まで移動して取り付け位置を変更することができる。
容器本体１に対する各もぐさ入れ容器３の取り付けはもぐさ入れ容器を図１上方から棚部４間に下ろして、フランジ３ａの両側を棚部に渡し（図４）、また取り外しはもぐさ入れ容器を同図上方に持ち上げることにより行う。
【００１０】
容器本体１、蓋体２及びもぐさ入れ容器３の関係について説明する。
図１及び図４に示す蓋体２の調整孔２ａは、容器本体１内と連通されており、かつ開閉板６の排気孔６ａと連通可能である。もぐさ入れ容器３のもぐさ７の燃焼を促す空気の流れについて説明すると、外気が容器本体１の通気孔１ａ１，１ｂ１を通じて容器本体内に入り、調整孔２ａから排気孔６ａへ排出される。
開閉板６は回転軸５を中心として回転することにより、蓋体２の調整孔２ａを開閉し、回転角度に応じて調整孔を全開状態に又は一部開放した状態にすることにより、排気調整ができる。温灸用のもぐさ７の燃焼時間は、一時的な調整孔２ａの開口状態によって調整される。また必要に応じて、蓋体２を容器本体１に被せたままの状態で、開閉板を回転させて調整孔２ａを開口させ、直接温灸用のもぐさをもぐさ入れ容器３内に追加補充することができる。
もぐさ入れ容器３はスライド移動によって蓋体２の調整孔２ａと対向位置関係を保持することができる。
【００１１】
次に、温灸器Ｍ１の使用方法について説明する。
各もぐさ入れ容器３内に温灸用のもぐさ７を入れて点火してから、温灸器Ｍ１の蓋体２を開けて、もぐさ入れ容器を容器本体１内の棚部４間に差し入れて、フランジ３ａの両側部を棚部に掛け止める。各もぐさ入れ容器３を棚部４に沿ってスライドさせて最適な位置で止める。その後、蓋体２を容器本体１の上側から被せる。この状態で、温灸器Ｍ１は、図１に示すようにもぐさ入れ容器３、蓋体２の調整孔２ａ及び開閉板６の排気孔６ａが対向位置関係に設定されるから、外気が容器本体の通気孔１ａ１，１ｂ１を通じて容器本体内に入り、調整孔から排気孔６ａへ経て蓋体の外へ排出され、このような空気の流れによってもぐさ７の燃焼が促がされる。燃焼をより一層促進する必要がある場合には、開閉板６を回転軸５を中心として所定角度回転させて、閉鎖状態にある調整孔２ａの一部を開放させて、空気の流れを促進させ、一定時間経過後に開閉板を元に戻して調整孔を閉鎖状態にする。
温灸可能な状態にある温灸器Ｍ１を患者の温灸箇所Ｈ１（例えば患者の腰部）に乗せる。この際、温灸器Ｍ１の底部１ｃが腰部Ｈ１に密着状態に接触するようにするために、温灸器Ｍ１の側壁１ａの長さ方向が腰部の幅方向（図６左右方向）すなわち患者の背骨と交差する方向に沿うように温灸器を腰部に置く。
温灸器Ｍ１を乗せる腰部Ｈ１には、予め治療針を刺してあると共に、安全のために耐熱シートを敷いておく。この耐熱シート上に温灸器Ｍ１を置く。温灸器Ｍ１を置く際に、もぐさ入れ容器３が治療針に衝突しないように、予めもぐさ入れ容器３をスライド移動させて衝突しない位置調整をしておく。
腰部Ｈ１上に置かれた温灸器Ｍ１は、もぐさ７の燃焼によって温灸器内の温度が上昇するが、温度上昇の速度が遅い場合又は温度上昇を望む場合には開閉板６を所定角度回転させて、閉鎖状態にある調整孔２ａの一部を開放させて、空気の流れを促進させる。時間の経過と共に、もぐさ７が燃焼し、その燃焼熱が温灸器Ｍ１内の空気を暖め、暖められた温気によって腰部Ｈ１が温められ、鍼治療効果と共に温灸による治療効果が発揮される。
また温灸器Ｍ１の燃焼時間を長く延ばしたい場合には、開閉板６を所定角度回転させて、調整孔２ａを開けて、この調整孔から追加分のもぐさを補給する。
さらに、温灸器Ｍ１の使用前又は使用中に、図１に示すように２つのもぐさ入れ容器３が不要ならば、一方だけ残して他方を取り出す。
また鍼治療を好まない患者については、温灸箇所に治療針を刺すことなく、耐熱シート又はシート上に温灸器Ｍ１を置く。
【００１２】
図１に示す温灸器Ｍ１には次のような効果がある。
調整孔２ａを開閉可能の開閉板６によってもぐさ７の燃焼時間を調整することができ、そしてもぐさ７の追加供給が可能となり、さらに燃焼時間の調整も開閉板の回転操作のみで良いので、温灸器Ｍ１の扱いが簡易であって使い勝手が良い。
温灸器Ｍ１の底部１ｃの形状が患者の温灸箇所Ｈ１の外観形状に沿うように図１の例では凹面１ｃ１を有する形状としているので、温灸器を温灸箇所に密着状態に乗せることができるから、使用中の温灸器の位置が安定し、温灸器内の熱気の漏れを抑制することができ、温灸による治療効果が向上し、温灸器Ｍ１が乗せられている患者にとってその感触を緩和させることができる。
もぐさ入れ容器３は移動可能に支持されている。このため、もぐさ入れ容器３の位置を調整孔２ａに対して最適な位置に調整することができるからもぐさ７の円滑かつ効率的な燃焼に寄与し、また温灸箇所Ｈ１に治療針が刺されている場合には、この治療針に対してもぐさ入れ容器の接触を回避することができ、治療針の位置に影響されることなく、温灸器Ｍ１を温灸箇所Ｈ１に置くことが可能となった。
もぐさ入れ容器３は棚部４をスライド可能であって、フランジ３ａを介して棚部に掛け止めるのみであるから、取り付け及び取り外しが簡単である。
【００１３】
この発明の第２の実施の形態として、図９〜図１３に示す温灸器Ｍ２を説明する。
温灸器Ｍ２の構成は、温灸器Ｍ１のそれと比較して次の点で相違しているが、その他は温灸器Ｍ１と実質的に同一構成であるので、主な相違点についてのみ説明する。
第一点は、患者の温灸箇所Ｈ２が首部である。
第二点は、温灸器Ｍ２の容器本体２１は側壁２１ａと側壁２１ｂとを組み合わせた平面正方形状の角筒状であって、収納するもぐさ入れ容器２３の数が単一である。
第三点は、上記第一点と表裏の関係にあるが、温灸器Ｍ２の底部２１ｃが温灸箇所Ｈ２、図１２の例では首部に密着するように円弧面である凹面２１ｃ１，２１ｃ２及び凸面２１ｃ３を有している。
温灸器Ｍ２の底部２１ｃの形状について図９〜図１２を参照して説明する。
容器本体２１の前後方向（図１２左右方向）の側壁２１ａは、その両側から側壁２１ｂによって挟まれた状態で保持されている（図９）。前後の側壁２１ａの底面が凹面２１ｃ１，２１ｃ２となっており、これらの凹面が温灸箇所Ｈ２である首部の外面に密着可能となっている。首部Ｈ２への温灸器Ｍ２の底部２１ｃの接触を柔らかにするために、前側の凹面２１ｃ１の深さを後側の凹面２１ｃ２のそれより大きくすると共に、両側の側壁２１ｂの底部を円弧状の凸面２１ｃ３としている。温灸器Ｍ２の底部２１ｃの形状が首部Ｈ２の外観形状に沿っているために、温灸器Ｍ２の底部を首部に当てた場合、この底部が首部を抱き込むようになる。
もぐさ入れ容器２３はもぐさ入れ容器３と同じものを使用している。
通気孔２１ａ１，２１ｂ１、蓋体２２、調整孔２２ａ、フランジ２３ａ、棚部２４、回転軸２５、開閉板２６、排気孔２６ａ、もぐさ２７及びピン２８は、通気孔１ａ１，１ｂ１、蓋体２、調整孔２ａ、フランジ３ａ、棚部４、回転軸５、開閉板６、排気孔６ａ、もぐさ７及びピン８にそれぞれ対応している。
棚部２４は図１３に示すように上下でその幅が異なっている点で、図７に示す同一幅の棚部４と相違しているが、これはもぐさ入れ容器２３を図上方に偏って配置したためであって、機能上棚部４との差異はない。
図９に示す温灸器Ｍ２の使用方法は図１に示す温灸器Ｍ１と同様である。
ただし、温灸器Ｍ２は上述したように首部温灸用であるから、温灸箇所Ｈ２である首部に乗せて使用する。
温灸器Ｍ２を首部Ｈ２に乗せる際には、図１２に示すように患者の背骨に沿って一方の凹面２１ｃ１を頭側（図左側）に、他方の凹面２１ｃ２を背中側（図右側）に配置する。
温灸器Ｍ２の作用効果は温灸器Ｍ１と同様である。
【００１４】
この発明の第３の実施の形態として、図１４〜図１９に示す温灸器Ｍ３を説明する。
温灸器Ｍ３の構成は、温灸器Ｍ２のそれと比較して次の点で相違しているが、その他は温灸器Ｍ２と実質的に同一構成であるので、主な相違点についてのみ説明する。
第一点は、患者の温灸箇所Ｈ３は首部に連なる背中の上部である。
第二点は、温灸器Ｍ３の底部３１ｃが温灸箇所Ｈ３、図１７の例では首部に連なる背中の上部に密着するように円弧面である凹面３１ｃ１，３１ｃ３を有している。
温灸器Ｍ３の底部３１ｃの形状について図１４〜図１７を参照して説明する。
容器本体３１において、これを形成している前側（図１７左側）の側壁３１ａは、後側の側壁３１１ａより高さが大きい。図１５及び図１６に示すように、一方の側壁３１ａの下面は円弧状の凹面３１ｃ１となっており、他方の側壁３１１ａの下面は凹面３１ｃ１の最も深いレベルと一致するレベルにあって平坦面３１ｃ２となっている。また前後の側壁３１ａ，３１１ａを挟んでいる側壁３１ｂの下面は、図１６及び図１７に示すように、前側の側壁３１ａ側を丸くした凹面３１ｃ３を形成している。
もぐさ入れ容器３３はもぐさ入れ容器２３と同じものを使用している。
通気孔３１ａ１，３１ｂ１、蓋体３２、調整孔３２ａ、フランジ３３ａ、棚部３４、回転軸３５、開閉板３６、排気孔３６ａ、もぐさ３７及びピン３８は、通気孔２１ａ１，２１ｂ１、蓋体２２、調整孔２２ａ、フランジ２３ａ、棚部２４、回転軸２５、開閉板２６、排気孔２６ａ、もぐさ２７及びピン２８にそれぞれ対応している。
棚部３４は図１８に示すように同一の幅となっており、幅の異なる前記棚部２４と相違しているが、機能上棚部２４との差異はない。
図１４に示す温灸器Ｍ３の使用方法は図９に示す温灸器Ｍ２と同様である。
ただし、温灸器Ｍ３は上述したように背中の上部温灸用であるから、温灸箇所Ｈ３である背中の上部に乗せて使用する。
温灸器Ｍ３を背中の上部Ｈ３に乗せる際には、図１７に示すように患者の背骨に沿って前側の側壁３１ａの凹面３１ｃ１を首部側（図左側）に、側壁３１１ａの下面である平坦面３１ｃ２を背中の下部側（図右側）に配置する。
温灸器Ｍ３の作用効果は温灸器Ｍ２と同様である。
使用法の他の例として、図１９に示すように温灸器Ｍ３を温灸器Ｍ２と首部Ｈ２及び背中の上部Ｈ３上に並べて置いて温灸するようにしても良い。
【００１５】
この発明の第４の実施の形態として、図２０〜図２５に示す温灸器Ｍ４を説明する。
温灸器Ｍ４の構成は、温灸器Ｍ３のそれと比較して次の点で相違しているが、その他は温灸器Ｍ３と実質的に同一構成であるので、主な相違点についてのみ説明する。
第一点は、患者の温灸箇所Ｈ４が足裏部である。
第二点は、温灸器Ｍ４の底部４１ｃが温灸箇所Ｈ４、図２４の例では足裏部に密着するように円弧面である凹面４１ｃ１を有している。
第三点は、温灸器Ｍ４の下部に、下方開口部を跨ぐように固定バンド５０を取り付けている。
第四点は、蓋体４２の開閉方式はヒンジ４９を用いる片開き方式である。
まず、温灸器Ｍ４の底部４１ｃの形状について図２０〜図２４を参照して説明する。
容器本体４１において、これを形成している前側（図２４左側）の側壁４１ａ及び後側の側壁４１１ａのうち、図２０及び図２１に示すように、一方の側壁４１ａの下面は円弧状の凹面４１ｃ１となっており、他方の側壁４１１ａの下面は図２１左肩上がりの傾斜面４１ｃ２となっている。また前後の側壁４１ａ，４１１ａを挟んでいる側壁４１ｂ，４１１１ｂのうち、一方（図２４左方）の側壁４１ｂの下面が円弧状の凸面４１ｃ３を形成し（図２２）、他方の側壁４１１ｂの下面が平坦面となっている（図２３）。
次に、固定バンド５０について説明する。
図２０に示す固定バンド５０は帯バンド５０ａと止め部５０ｂ, ５０ｃとからなる。帯バンド５０ａは患者の足の甲部を温灸器Ｍ４の底部４１ｃに固定するものである。帯バンド５０ａは、裏面側（温灸器Ｍ４の底部の開口部側）の全面又は両端に面ファスナーを設けている。止め部５０ｂ,
５０ｃは側壁４１ｂ，４１１ｂの下部に取り付けられている。止め部５０ｂ, ５０ｃは面ファスナーで形成されている。帯バンド５０ａの両端部は止め部５０ｂ, ５０ｃに着脱可能であり、通常図２０に示すように両端部を止め部に止めている。
蓋体４２の開閉方式について説明する。
蓋体４２は、図２０及び図２３に示すようにヒンジ４９によって容器本体４１の片側に接続されている。蓋体４２は、ヒンジ４９を中心として容器本体４１の上側の開口部を開閉可能である。
図２５に示すように対の棚部４４間に位置固定用板５１を対向して設けてある。位置固定用板５１は、もぐさ入れ容器４３が温灸器Ｍ３内で不用意に移動しない役割を持っている。
もぐさ入れ容器４３はもぐさ入れ容器３３と同じものを使用している。
通気孔４１ａ１，４１ｂ１、蓋体４２、調整孔４２ａ、フランジ４３ａ、棚部４４、回転軸４５、開閉板４６、排気孔４６ａ、もぐさ４７及びピン４８は、通気孔３１ａ１，３１ｂ１、蓋体３２、調整孔３２ａ、フランジ３３ａ、棚部３４、回転軸３５、開閉板３６、排気孔３６ａ、もぐさ３７及びピン３８にそれぞれ対応している。
温灸器Ｍ４の使用方法は温灸器Ｍ３と同様である。
ただし、温灸器Ｍ４は上述したように足裏部の温灸用であるから、温灸箇所Ｈ４である足裏部に乗せて使用する。
温灸器Ｍ４を足裏部Ｈ４に乗せて使用するには、まず患者をうつ伏せにして足裏部を天井側に向けてから、帯バンド５０ａの一端部を止め部５０ｂから離し、そして図２０及び図２４に示すように温灸器Ｍ４の一方の側壁４１ａを前側（患者の頭部側）にして、底部４１ｃの凹面４１ｃ１を土踏まず部分に当てながら、底部で土踏まず部全体を覆う。その後、帯バンド５０ａを患者の足の甲部表面に回して一端部を止め部５０ｂに強く押し付ける。この押し付けによって、帯バンド５０ａと容器本体４１が接続され、帯バンドによって足裏部Ｈ４上に温灸器Ｍ４が固定状態に乗せられる。温灸器Ｍ４を足裏部Ｈ４上に乗せたままの状態で温灸をする。
温灸器Ｍ４の作用効果は温灸器Ｍ３と同様である。
【００１６】
温灸器Ｍ１、温灸器Ｍ２、温灸器Ｍ３及び温灸器Ｍ４の各上側開口部が各蓋体２，２２，３２，４２によって必ずしも密閉されていない場合には、隙間から放熱される可能性があって、容器本体１，２１，３１，４１内の高適温が長く持続できないことが考えられ、温度変化を示す曲線が放物線を描くことになる。
そこで、温灸器Ｍ１、温灸器Ｍ２、温灸器Ｍ３及び温灸器Ｍ４内の放熱を回避し、できるだけ長く高適温が継続できるようにするために、各蓋体２，２２，３２，４２によって各容器本体１，２１，３１，４１の上側開口部を密閉するようにすれば、放熱を抑制することができ、その結果として容器本体内の適温を持続することできる。
例えば温灸器Ｍ１の容器本体１をそのままとし、蓋体２に代えた図２６〜図２８に示す温灸器Ｍ１Ａにおいて、蓋体２Ａの外周部全周に被覆部２Ａａを形成し、容器本体１の上側開口部を密閉状態に覆うのである。
なお、温灸器Ｍ１Ａは、蓋体２Ａを除いて温灸器Ｍ１の構成と同一であるので、相互の符号を一致させて対応関係を示している。ただし、温灸器Ｍ１Ａの蓋体２Ａにはピンを外しているが、そのまま残しておいても良い。
温灸器Ｍ１Ａの蓋体２Ａと同様に、温灸器Ｍ２、温灸器Ｍ３及び温灸器Ｍ４の各蓋体２２，３２，４２についても、被覆部を設けて、各容器本体２１，３１，４１の上側開口部を密閉状態に覆うようにしても良い。
蓋体による各容器本体１，２１，３１，４１の上側開口部を密閉する方法とし、図２６に示す手段に限られず、上記蓋体を水平移動可能として、上側開口部の内側に溝を形成し、蓋体の幅方向の両側面が上記溝をスライド移動でき、先端側の端面を溝に差し入れる構成であっても良い。さらに、蓋体は一枚の板体で構成するものに限られず、その一部を各容器本体１，２１，３１，４１に固定し、他部を開閉動作するようにしても良い。
【００１７】
温灸器Ｍ１、温灸器Ｍ１Ａ、温灸器Ｍ２、温灸器Ｍ３及び温灸器Ｍ４の各開閉板６，２６，３６，４６は回転軸５，２５，３５，４５を回転中心として回転移動して、調整孔２ａ，２２ａ，３２ａ，４２ａを開閉する構成であるが、この例に限られず、前後又は左右方向にスライド移動して開閉するものであっても良く、片開き式で開閉するものであっても良い。回転移動及びスライド移動操作によれば、調整孔２ａ，２２ａ，３２ａ，４２ａの全開又は一部開放による孔調整が容易となる。
もぐさ入れ容器３，２３，３３，４３の構成について、図示のように、金網による丸カップ状にすれば、製作が容易であり、既存のものをそのまま使用することができ、コストダウンに寄与し、取り扱いがしやすい利点があるが、耐熱性と通気性があれば上記構成に限られない。例えばもぐさ入れ容器の本体を筒体として、内底部に金網又は多孔板を張るものであっても良い。
もぐさ入れ容器３，２３，３３，４３のフランジ３ａ，２３ａ，３３ａ，４３ａはリング状としているが、側壁に接触可能の角形として容易に位置ずれしないようにしても良い。
もぐさ入れ容器３，２３，３３，４３は容器本体１，２１，３１，４１から取り外し可能にすれば、容器の大きさの異なるものを使用することができるが、容器本体に固定状態に取り付けられているものであっても良い。
温灸器Ｍ４には足裏部Ｈ４に固定するための固定バンド５０を取り付けているが、温灸箇所に対する温灸器の安定的なセット状態を維持するために、固定バンドの取り付けの対象となる温灸器は温灸器Ｍ４に限られない。例えば温灸箇所が患者の、腰部、腹部、脚、腕などである場合、温灸器に固定バンドを取り付けて使用すれば、温灸器が固定されるので、使い勝手が良い。
温灸器Ｍ１、温灸器Ｍ１Ａ、温灸器Ｍ２、温灸器Ｍ３及び温灸器Ｍ４の各蓋体２，２Ａ，２２，３２，４２を止め具によって各容器本体１，２１，３１，４１に着脱可能に結合するようにすれば、使用中に患者の動作によって蓋体が開くことを防止することができる。
【図面の簡単な説明】
【００１８】
【図１】この発明に係る温灸器の第１の実施の形態を示す一部切欠正面図である。
【図２】この発明に係る温灸器の第１の実施の形態を示す斜視図である。
【図３】この発明に係る温灸器の第１の実施の形態を示す平面図である。
【図４】図１のＩＶ−ＩＶ線断面図である。
【図５】図３のＶ−Ｖ線断面図である。
【図６】蓋体を容器本体から離した状態を示す正面図である。
【図７】図１に示す温灸器の容器本体を示す平面図である。
【図８】図１に示す温灸器の蓋体を示す平面図であって、一方の開閉板を回転させている状態を示す図である。
【図９】この発明に係る温灸器の第２の実施の形態を示す一部切欠正面図である。
【図１０】図９の背面図である。
【図１１】図９の右側面図である。
【図１２】図９のＸＩＩ−ＸＩＩ線断面図である。
【図１３】図９のＸＩＩＩ−ＸＩＩＩ線断面図である。
【図１４】この発明に係る温灸器の第３の実施の形態を示す一部切欠正面図である。
【図１５】図１４の背面図である。
【図１６】図１４の右側面図である。
【図１７】図１４のＸＶＩＩ−ＸＶＩＩ線断面図である。
【図１８】図１４のＸＶＩＩＩ−ＸＶＩＩＩ線断面図である。
【図１９】図９に示す温灸器と図１４に示す温灸器とを併用して使用している状態を縮小して示す側面図である。
【図２０】この発明に係る温灸器の第４の実施の形態を示す一部切欠正面図である。
【図２１】図２０の背面図である。
【図２２】図２０の右側面図である。
【図２３】図２０の左側面図である。
【図２４】図２０のＸＸＩＶ−ＸＸＩＶ線断面図である。
【図２５】図２０のＸＸＶ−ＸＸＶ線断面図である。
【図２６】この発明に係る温灸器の第５の実施の形態を示す一部切欠正面図である。
【図２７】この発明に係る温灸器の第５の実施の形態を示す斜視図である。
【図２８】図２６のＸＸＶＩＩＩ−ＸＸＶＩＩＩ線断面図である。
【符号の説明】
【００１９】
Ｍ１，Ｍ１Ａ，Ｍ２，Ｍ３，Ｍ４              温灸器
Ｈ１，Ｈ２，Ｈ３，Ｈ４                      温灸箇所
１，２１，３１，４１                        容器本体
１ａ，１ｂ                                  側壁
２１ａ，２１ｂ，３１ａ，３１１ａ，３１ｂ    側壁
４１ａ，４１１ａ，４１ｂ，４１１ｂ          側壁
１ａ１，１ｂ１                              通気孔
２１ａ１，２１ｂ１                          通気孔
３１ａ１，３１ｂ１，４１ａ１，４１ｂ１      通気孔
１ｃ，２１ｃ，３１ｃ，４１ｃ                底部
１ｃ１，２１ｃ１，３１ｃ１，４１ｃ１        凹面（円弧面）
２１ｃ２，３１ｃ３                          凹面（円弧面）
２１ｃ３，４１ｃ３                          凸面（円弧面）
２，２Ａ，２２，３２，４２                  蓋体
２ａ，２２ａ，３２ａ，４２ａ                調整孔
２Ａａ                                      被覆部
３，２３，３３，４３                        もぐさ入れ容器
４，２４，３４，４４                        棚部（支持部）
５，２５，３５，４５                        回転軸
６，２６，３６，４６                        開閉板
６ａ，２６ａ，３６ａ，４６ａ                排気孔
７，２７，３７，４７                        もぐさ
【図１】
2007068867.tif 000003
【図２】
2007068867.tif 000004
【図３】
2007068867.tif 000005
【図４】
2007068867.tif 000006
【図５】
2007068867.tif 000007
【図６】
2007068867.tif 000008
【図７】
2007068867.tif 000009
【図８】
2007068867.tif 000010
【図９】
2007068867.tif 000011
【図１０】
2007068867.tif 000012
【図１１】
2007068867.tif 000013
【図１２】
2007068867.tif 000014
【図１３】
2007068867.tif 000015
【図１４】
2007068867.tif 000016
【図１５】
2007068867.tif 000017
【図１６】
2007068867.tif 000018
【図１７】
2007068867.tif 000019
【図１８】
2007068867.tif 000020
【図１９】
2007068867.tif 000021
【図２０】
2007068867.tif 000022
【図２１】
2007068867.tif 000023
【図２２】
2007068867.tif 000024
【図２３】
2007068867.tif 000025
【図２４】
2007068867.tif 000026
【図２５】
2007068867.tif 000027
【図２６】
2007068867.tif 000028
【図２７】
2007068867.tif 000029
【図２８】
2007068867.tif 000030